(57)【要約】【課題】輝度ムラを低減しながら、薄型化を図ることができる照明器具を提供する。【解決手段】照明器具２は、第１の発光素子４８と、第１の発光素子４８からの光を入射する第１の端面６０、及び、第１の端面６０に入射した光を出射する第１の側面６２を有する第１の導光板１６とを備える。第１の導光板１６は、一端部５６ａから他端部５６ｂまで筒状に延び、一端部５６ａに第１の端面６０が形成された第１の入射部５６と、第１の入射部５６の他端部５６ｂから径方向内側に延びて他端部５６ｂを閉塞するように形成され、第１の側面６２が形成された第１の出射部５８とを有する。第１の出射部５８の形状は、第１の側面６２の外周部から取り出される光の光取り出し効率よりも、第１の側面６２の内周部から取り出される光の光取り出し効率の方が大きくなるように形成されている。【選択図】図１０
2019149273.tif 000002
【特許請求の範囲】
【請求項１】
第１の発光部と、
前記第１の発光部からの光を入射する第１の端面、及び、前記第１の端面に入射した光を出射する第１の側面を有する第１の導光板と、を備え、
前記第１の導光板は、
一端部から他端部まで筒状に延び、前記一端部に前記第１の端面が形成された第１の入射部と、
前記第１の入射部の前記他端部から径方向内側に延びて前記他端部を閉塞するように形成され、前記第１の側面が形成された第１の出射部と、を有し、
前記第１の出射部の形状は、前記第１の側面の外周部から取り出される光の光取り出し効率よりも、前記第１の側面の内周部から取り出される光の光取り出し効率の方が大きくなるように形成されている
照明器具。
【請求項２】
前記第１の出射部には、複数の光散乱要素を有する光散乱パターンが形成されており、
前記光散乱パターンは、前記第１の側面の前記外周部における光取り出し効率よりも、前記第１の側面の前記内周部における光取り出し効率の方が大きくなるように形成されている
請求項１に記載の照明器具。
【請求項３】
前記光散乱パターンは、前記第１の側面の前記外周部から前記内周部に近付くに従って、前記複数の光散乱要素の密度が高くなるように形成されている
請求項２に記載の照明器具。
【請求項４】
前記光散乱パターンは、前記第１の側面の前記外周部から前記内周部に近付くに従って、前記複数の光散乱要素の各々の大きさが大きくなるように形成されている
請求項２又は３に記載の照明器具。
【請求項５】
前記第１の出射部は、前記第１の側面の前記外周部から前記内周部に近付くに従って、厚みが小さくなるように形成されている
請求項１〜４のいずれか１項に記載の照明器具。
【請求項６】
前記第１の端面は、前記第１の入射部の前記一端部の全周に亘って形成され、
前記第１の発光部は、前記第１の端面の周方向に沿って間隔を置いて配置された複数の第１の発光素子を有する
請求項１〜５のいずれか１項に記載の照明器具。
【請求項７】
前記照明器具は、さらに、
第２の発光部と、
前記第１の導光板の周囲を囲むように配置された環状の第２の導光板であって、前記第２の発光部からの光を入射する第２の端面、及び、前記第２の端面に入射した光を出射する第２の側面を有する第２の導光板と、を備える
請求項１〜６のいずれか１項に記載の照明器具。
【請求項８】
前記第２の導光板は、
一端部から他端部に向けて拡径する筒状に形成され、前記一端部に前記第２の端面が形成された第２の入射部と、
前記第２の入射部の前記他端部から径方向外側に延びて環状に形成され、前記第２の側面が形成された第２の出射部と、を有する
請求項７に記載の照明器具。
【請求項９】
前記第２の端面は、前記第２の入射部の前記一端部の全周に亘って形成され、
前記第２の発光部は、前記第１の発光部を囲むように配置され、前記第２の端面の周方向に沿って間隔を置いて配置された複数の第２の発光素子を有する
請求項７又は８に記載の照明器具。
【請求項１０】
前記第１の側面及び前記第２の側面は、略同一面上に配置されている
請求項７〜９のいずれか１項に記載の照明器具。
【発明の詳細な説明】
【技術分野】
【０００１】
本発明は、室内等を照明するための照明器具に関する。
【背景技術】
【０００２】
室内を照明するための照明器具の一つとして、シーリングライトが知られている（例えば、特許文献１参照）。シーリングライトは、室内の天井に取り付けられる器具本体と、器具本体に支持された発光モジュールと、発光モジュールを覆うように器具本体に取り付けられた拡散グローブとを有している。発光モジュールは、基板と、基板に実装された複数のＬＥＤ（Ｌｉｇｈｔ  Ｅｍｉｔｔｉｎｇ  Ｄｉｏｄｅ）とを有している。
【先行技術文献】
【特許文献】
【０００３】
【特許文献１】特開２０１３−４８１６７号公報
【発明の概要】
【発明が解決しようとする課題】
【０００４】
上述した従来のシーリングライトの照明方式は、複数のＬＥＤからの光が拡散グローブを介して室内に照射される直射方式である。しかしながら、この直射方式では、輝度ムラが発生しやすいという課題が生じる。また、輝度ムラを低減するためには、複数のＬＥＤと拡散グローブとの距離を大きく確保する必要があるため、シーリングライト全体の厚みが大きくなるという課題が生じる。
【０００５】
本発明は、このような課題に鑑みてなされたものであり、輝度ムラを低減しながら、薄型化を図ることができる照明器具を提供することを目的とする。
【課題を解決するための手段】
【０００６】
上記課題を解決するために、本発明の一態様に係る照明器具は、第１の発光部と、前記第１の発光部からの光を入射する第１の端面、及び、前記第１の端面に入射した光を出射する第１の側面を有する第１の導光板と、を備え、前記第１の導光板は、一端部から他端部まで筒状に延び、前記一端部に前記第１の端面が形成された第１の入射部と、前記第１の入射部の前記他端部から径方向内側に延びて前記他端部を閉塞するように形成され、前記第１の側面が形成された第１の出射部と、を有し、前記第１の出射部の形状は、前記第１の側面の外周部から取り出される光の光取り出し効率よりも、前記第１の側面の内周部から取り出される光の光取り出し効率の方が大きくなるように形成されている。
【発明の効果】
【０００７】
本発明の一態様に係る照明器具によれば、輝度ムラを低減しながら、薄型化を図ることができる。
【図面の簡単な説明】
【０００８】
【図１】実施の形態１に係る照明器具の床面側の外観を示す斜視図である。
【図２】実施の形態１に係る照明器具の天井側の外観を示す斜視図である。
【図３】実施の形態１に係る照明器具を分解して示す分解斜視図である。
【図４】実施の形態１に係る照明器具を示す平面図である。
【図５】実施の形態１に係る照明器具を示す側面図である。
【図６】図４のＶＩ−ＶＩ線による、実施の形態１に係る照明器具の断面図である。
【図７】図６の一部を拡大して示す、実施の形態１に係る照明器具の要部断面図である。
【図８】図６の一部を拡大して示す、実施の形態１に係る照明器具の要部断面斜視図である。
【図９】実施の形態１に係る発光モジュールを抜き出して示す平面図である。
【図１０】実施の形態１に係る第１の導光板を抜き出して示す平面図である。
【図１１】実施の形態１に係る第１の導光板の一部を模式的に拡大して示す要部断面図である。
【図１２】実施の形態１に係る第２の導光板の一部を模式的に拡大して示す要部断面図である。
【図１３】実施の形態２に係る第１の導光板を示す断面図である。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態１）
以下、実施の形態１に係る照明器具について説明する。
【００１２】
［１−１．照明器具の構成］
［１−１−１．照明器具の概要］
図１〜図４を参照しながら、実施の形態１に係る照明器具２の概要について説明する。図１は、実施の形態１に係る照明器具２の床面側の外観を示す斜視図である。図２は、実施の形態１に係る照明器具２の天井側の外観を示す斜視図である。図３は、実施の形態１に係る照明器具２を分解して示す分解斜視図である。図４は、実施の形態１に係る照明器具２を示す平面図である。
【００１３】
照明器具２は、例えば室内を照明するためのシーリングライトであり、室内の天井４（図３参照）に設置される。図１〜図４に示すように、照明器具２は、器具本体６と、機能ボックス８と、器具取付部材１０と、発光モジュール１２と、反射板１４と、第１の導光板１６と、第２の導光板１８と、固定部材２０と、カバー部材２２とを備えている。
【００１４】
以下、照明器具２の各構成要素について詳細に説明する。なお、以下に示す各図において、Ｚ軸のマイナス側が天井４側、Ｚ軸のプラス側が床面（図示せず）側を表している。また、説明の都合上、以下に示す図１、図３、図５〜図８、図１１及び図１２では、照明器具２を通常の使用時の姿勢とは上下逆の姿勢で図示している。
【００１５】
［１−１−２．器具本体］
まず、図２、図３、図５及び図６を参照しながら、器具本体６について説明する。図５は、実施の形態１に係る照明器具２を示す側面図である。図６は、図４のＶＩ−ＶＩ線による、実施の形態１に係る照明器具２の断面図である。
【００１６】
器具本体６は、発光モジュール１２等を支持するための筐体である。図２、図３、図５及び図６に示すように、器具本体６は、ＸＹ平面視で、中央部に円形状の開口部２４を有する円環状に形成されている。図６に示すように、器具本体６の開口部２４の径中心は、照明器具２の中心軸２６上に位置している。なお、中心軸２６は、Ｚ軸に平行な直線である。器具本体６は、例えばアルミニウム板又は鋼板等の板金をプレス加工することによって上述した形状に成形される。
【００１７】
［１−１−３．機能ボックス］
次に、図２、図３、図５及び図６を参照しながら、機能ボックス８について説明する。図２、図３、図５及び図６に示すように、機能ボックス８は、ケース２８と、回路ユニット３０とを有している。なお、説明の都合上、回路ユニット３０は、図２にのみ図示している。
【００１８】
ケース２８は、回路ユニット３０を収納するための中空状の箱体である。ケース２８は、ＸＹ平面視で略矩形状に形成されている。図２、図３及び図５に示すように、ケース２８は、器具本体６の天井４側の側面３２に複数の連結部材３４を介して連結されている。すなわち、照明器具２を天井４に設置した状態では、器具本体６は、複数の連結部材３４を介してケース２８から吊り下げられるようにして支持される。ケース２８の中央部には、円形状の貫通孔３６が形成されている。図６に示すように、ケース２８の貫通孔３６には、機能ボックス８を器具取付部材１０に装着するための筒状のホルダ３８が固定されている。ホルダ３８の内部には、器具取付部材１０が着脱自在に嵌合される。
【００１９】
回路ユニット３０は、発光モジュール１２を点灯させるための電力を生成し、且つ、発光モジュール１２の点灯を制御するためのユニットである。図２に示すように、回路ユニット３０は、ケース２８の内部に配置されている。説明の都合上、図示を省略しているが、回路ユニット３０は、基板と、基板に実装された複数の回路部品とを有している。
【００２０】
基板は、複数の回路部品を実装するためのプリント配線基板である。図３に示すように、基板は、電線４０を介して発光モジュール１２と電気的に接続され、且つ、電線４２を介して器具取付部材１０と電気的に接続されている。
【００２１】
複数の回路部品は、基板の実装面に実装されている。複数の回路部品は、電源用回路部品と、制御用回路部品とを含んでいる。電源用回路部品は、発光モジュール１２を点灯させるための電力を生成するための電源回路を構成する。電源回路は、商用電源（図示せず）から引っ掛けシーリングボディ４４（後述する）を介して供給されてきた交流電力を直流電力に変換し、当該直流電力を発光モジュール１２に供給する。電源回路で生成された直流電力が発光モジュール１２に供給されることにより、発光モジュール１２が点灯する。また、制御用回路部品は、発光モジュール１２の点灯を制御するための制御回路を構成する。
【００２２】
なお、複数の回路部品は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいる。
【００２３】
［１−１−４．器具取付部材］
次に、図２、図３及び図６を参照しながら、器具取付部材１０について説明する。器具取付部材１０は、室内の天井４に設置された引っ掛けシーリングボディ４４に機能ボックス８を着脱自在に取り付けるためのアダプタである。
【００２４】
図２、図３及び図６に示すように、器具取付部材１０は、機能ボックス８のケース２８のホルダ３８の内部に着脱自在に嵌合される。また、器具取付部材１０は、引っ掛けシーリングボディ４４に着脱自在に取り付けられる。
【００２５】
照明器具２を室内の天井４に設置する際には、ユーザは、まず、器具取付部材１０を引っ掛けシーリングボディ４４に取り付ける。その後、ユーザは、器具取付部材１０がケース２８のホルダ３８の内部に挿入されるようにして、機能ボックス８を天井４側に押し上げることにより、ホルダ３８と器具取付部材１０とを嵌合させる。これにより、機能ボックス８が器具取付部材１０及び引っ掛けシーリングボディ４４を介して室内の天井４に取り付けられ、照明器具２が室内の天井４に設置される。
【００２６】
なお、引っ掛けシーリングボディ４４は、例えば室内の天井４の裏側に配置された商用電源と電線（図示せず）を介して電気的に接続されている。照明器具２が室内の天井４に設置されることにより、商用電源からの交流電力が電線及び引っ掛けシーリングボディ４４を介して照明器具２に供給される。
【００２７】
［１−１−５．発光モジュール］
次に、図３及び図６〜図９を参照しながら、発光モジュール１２について説明する。図７は、図６の一部を拡大して示す、実施の形態１に係る照明器具２の要部断面図である。図８は、図６の一部を拡大して示す、実施の形態１に係る照明器具２の要部断面斜視図である。図９は、実施の形態１に係る発光モジュール１２を抜き出して示す平面図である。
【００２８】
図３及び図６に示すように、発光モジュール１２は、例えば白色光を発するための光源である。図３及び図７〜図９に示すように、発光モジュール１２は、複数の基板４６と、複数の基板４６の各々に実装された複数の第１の発光素子４８（第１の発光部の一例）及び複数の第２の発光素子５０（第２の発光部の一例）とを有している。
【００２９】
複数の基板４６の各々は、複数の第１の発光素子４８及び複数の第２の発光素子５０を実装するためのプリント配線基板であり、略円弧状に形成されている。複数の基板４６は、器具本体６の床面側の側面５２に取り付けられており、器具本体６の開口部２４を囲むようにして円環状に並べられている。なお、基板４６としては、例えば、樹脂基板、メタルベース基板、セラミック基板又はガラス基板等を用いることができる。また、基板４６は、リジッド基板に限定されず、フレキシブル基板であってもよい。
【００３０】
複数の第１の発光素子４８は、各基板４６の実装面（床面側の面）の内周部側に実装されている。具体的には、複数の第１の発光素子４８は、各基板４６の実装面の内周部側において、各基板４６の周方向に沿って間隔を置いて円弧状に配置されている。これにより、発光モジュール１２全体では、複数の第１の発光素子４８は、円環状に配置されている。
【００３１】
複数の第２の発光素子５０は、各基板４６の実装面の外周部側に実装されている。具体的には、複数の第２の発光素子５０は、各基板４６の実装面の外周部側において、各基板４６の周方向に間隔を置いて円弧状に配置されている。これにより、発光モジュール１２全体では、複数の第２の発光素子５０は、複数の第１の発光素子４８を囲むように円環状に配置されている。
【００３２】
第１の発光素子４８及び第２の発光素子５０の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、第１の発光素子４８及び第２の発光素子５０の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３３】
このように、第１の発光素子４８及び第２の発光素子５０の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子４８及び第２の発光素子５０の各々から白色光が出射される。
【００３４】
なお、本実施の形態では、第１の発光素子４８及び第２の発光素子５０がともに白色光を発するようにしたが、互いに異なる色（波長）の光を発するようにしてもよい。例えば、第１の発光素子４８が白色光を発し、第２の発光素子５０が電球色光を発するようにしてもよい。
【００３５】
［１−１−６．反射板］
次に、図３及び図６〜図８を参照しながら、反射板１４について説明する。反射板１４は、第１の導光板１６の第１の出射部５８（後述する）の裏面６４から出射した光を反射するためのものである。
【００３６】
図３に示すように、反射板１４は、ＸＹ平面視で円形状に形成されている。反射板１４の床面側の側面には、例えば白色の塗料が塗布された反射面５４が形成されている。図６〜図８に示すように、反射板１４は、器具本体６の開口部２４を覆うようにして、器具本体６の床面側の側面５２に配置されている。この時、反射板１４の反射面５４は、第１の導光板１６の第１の出射部５８の裏面６４に対向するように配置されている。
【００３７】
［１−１−７．第１の導光板］
次に、図１、図３、図４、図６〜図８、図１０及び図１１を参照しながら、第１の導光板１６について説明する。図１０は、実施の形態１に係る第１の導光板１６を抜き出して示す平面図である。図１１は、実施の形態１に係る第１の導光板１６の一部を模式的に拡大して示す要部断面図である。
【００３８】
第１の導光板１６は、複数の第１の発光素子４８からの光を拡散させるための光学部材である。第１の導光板１６は、固定部材２０により器具本体６の床面側の側面５２に固定されている。
【００３９】
図１、図３、図４及び図６に示すように、第１の導光板１６は、ＸＹ平面視で円形状に形成されている。具体的には、第１の導光板１６は、第１の入射部５６と、第１の出射部５８とを有している。なお、第１の導光板１６は、透光性を有する材料、例えば透明のアクリル樹脂等で形成されている。
【００４０】
図７及び図８に示すように、第１の入射部５６は、一端部５６ａ（天井４側の端部）から他端部５６ｂ（床面側の端部）に向けて湾曲しながら縮径する筒状に形成されている。第１の入射部５６の凹面側は発光モジュール１２に対向し、第１の入射部５６の凸面側はカバー部材２２に対向している。第１の入射部５６は、光を一端部５６ａから他端部５６ｂに向けて導く。第１の入射部５６の一端部５６ａには、その全周に亘って円環状の第１の端面６０が形成されている。第１の端面６０は、複数の第１の発光素子４８に対向且つ近接する位置に配置されている。すなわち、複数の第１の発光素子４８は、第１の端面６０の周方向に沿って間隔を置いて円環状に配置されている。複数の第１の発光素子４８の各々からの光は、第１の端面６０に入射する。
【００４１】
図６〜図８に示すように、第１の出射部５８は、第１の入射部５６の他端部５６ｂの全周から第１の導光板１６の径方向内側に延び、ＸＹ平面視で円形状に形成されている。すなわち、第１の出射部５８は、第１の入射部５６の他端部５６ｂを閉塞するように、略水平な姿勢（すなわち、天井４に対して略平行な姿勢）で配置されている。すなわち、図４に示すように、第１の導光板１６及び第２の導光板１８を平面視した場合に、第１の導光板１６の第１の側面６２は、第２の導光板１８の径中心６１を含む領域６３に配置されている。第１の出射部５８の径中心は、照明器具２の中心軸２６上に位置している。図７及び図８に示すように、第１の出射部５８の床面側には、第１の側面６２が形成されている。第１の側面６２は、光が出射する面であり、ＸＹ平面視で円形状に形成されている。
【００４２】
図１０に示すように、第１の出射部５８の第１の側面６２とは反対側の裏面６４（天井４側の面）には、光散乱パターン６８が形成されている。図１１に示すように、光散乱パターン６８は、例えば複数の低角プリズム６６（複数の光散乱要素の一例）がドット状に配置されたパターンである。複数の低角プリズム６６の各々は、例えばドット加工により形成された円錐状の凹部である。光散乱パターン６８は、裏面６４（第１の側面６２）の外周部から内周部に近付くに従って、複数の低角プリズム６６の密度が徐々に高くなるように形成されている。複数の低角プリズム６６の密度は、裏面６４（第１の側面６２）の径中心で最も高く、裏面６４（第１の側面６２）の外周縁で最も低い。すなわち、光散乱パターン６８（第１の出射部５８の形状）は、第１の側面６２の外周部から取り出される光の光取り出し効率よりも、第１の側面６２の内周部から取り出される光の光取り出し効率の方が大きくなるように形成されている。図１０では、複数の低角プリズム６６の密度を色の濃淡で表現してある。すなわち、図１０では、色が濃いほど複数の低角プリズム６６の密度が高いことを表し、色が薄いほど複数の低角プリズム６６の密度が低いことを表現してある。
【００４３】
仮に、複数の低角プリズム６６の密度が第１の側面６２の全域に亘って均一である場合には、光取り出し効率が第１の側面６２の全域に亘って均一となる。しかしながら、この場合において、例えば第１の出射部５８の直径を大きくした際には、複数の第１の発光素子４８からの光が第１の側面６２の内周部まで到達し難くなるため、第１の側面６２の内周部で取り出される光の量が少なくなる。その結果、第１の側面６２の内周部が外周部よりも暗くなるという問題が生じる。
【００４４】
これに対して、本実施の形態では、複数の低角プリズム６６の密度は、第１の側面６２の外周部から内周部に近付くに従って徐々に高くなるので、第１の側面６２の内周部における光取り出し効率を比較的高くすることができる。これにより、例えば第１の出射部５８の直径を大きくした場合であっても、第１の側面６２の内周部からより多くの光を取り出すことができるので、第１の側面６２の内周部が外周部よりも暗くなるのを抑制することができる。その結果、第１の側面６２における輝度ムラを低減することができる。
【００４５】
なお、本実施の形態では、光散乱パターン６８を、裏面６４の外周部から内周部に近付くに従って、複数の低角プリズム６６の密度が徐々に高くなるように形成したが、これに限定されない。例えば、光散乱パターン６８を、裏面６４の外周部から内周部に近付くに従って、複数の低角プリズム６６の各々の大きさが徐々に大きくなるように形成してもよい。この場合、低角プリズム６６の大きさは、裏面６４（第１の側面６２）の径中心で最も大きく、裏面６４（第１の側面６２）の外周縁で最も小さくなる。あるいは、光散乱パターン６８を、裏面６４の外周部から内周部に近付くに従って、複数の低角プリズム６６の密度が徐々に高くなり、且つ、複数の低角プリズム６６の各々の大きさが徐々に大きくなるように形成してもよい。
【００４６】
図７に示すように、複数の第１の発光素子４８からの光は、第１の端面６０に入射して、第１の入射部５６から第１の出射部５８へと導かれる。第１の出射部５８に導かれた光は、低角プリズム６６で反射することにより、第１の出射部５８の第１の側面６２から拡散されながら室内に向けて出射する。
【００４７】
なお、第１の出射部５８に導かれた光の一部は、第１の出射部５８の裏面６４から拡散されながら出射する。第１の出射部５８の裏面６４から出射した光は、反射板１４の反射面５４で反射された後に、第１の出射部５８の裏面６４に入射する。これにより、第１の導光板１６における光利用効率を高めることができる。
【００４８】
［１−１−８．第２の導光板］
次に、図１〜図８及び図１２を参照しながら、第２の導光板１８について説明する。図１２は、実施の形態１に係る第２の導光板１８の一部を模式的に拡大して示す要部断面図である。
【００４９】
第２の導光板１８は、複数の第２の発光素子５０からの光を拡散させるための光学部材である。第２の導光板１８は、固定部材２０により器具本体６の床面側の側面５２に固定されている。
【００５０】
図１〜図５に示すように、第２の導光板１８は、ＸＹ平面視で円環状（ドーナツ状）に形成されており、第１の導光板１６を囲むように配置されている。具体的には、第２の導光板１８は、第２の入射部７０と、第２の出射部７２とを有している。なお、第２の導光板１８は、透光性を有する材料、例えば透明のアクリル樹脂等で形成されている。
【００５１】
図６〜図８に示すように、第２の入射部７０は、一端部７０ａ（天井４側の端部）から他端部７０ｂ（床面側の端部）に向けて湾曲しながら拡径する筒状に形成されている。第２の入射部７０の凹面側は発光モジュール１２に対向し、第２の入射部７０の凸面側はカバー部材２２に対向している。第２の入射部７０は、光を一端部７０ａから他端部７０ｂに向けて導く。第２の入射部７０の一端部７０ａには、その全周に亘って円環状の第２の端面７４が形成されている。第２の端面７４は、複数の第２の発光素子５０に対向且つ近接する位置に配置されている。すなわち、複数の第２の発光素子５０は、第２の端面７４の周方向に沿って間隔を置いて円環状に配置されている。複数の第２の発光素子５０の各々からの光は、第２の端面７４に入射する。
【００５２】
図５〜図８に示すように、第２の出射部７２は、第２の入射部７０の他端部７０ｂの全周から第２の導光板１８の径方向外側に延び、ＸＹ平面視で円環状（ドーナツ状）に形成されている。第２の出射部７２は、器具本体６よりも第２の導光板１８の径方向外側に張り出しており、略水平な姿勢で配置されている。第２の出射部７２の径中心は、照明器具２の中心軸２６上に位置している。図７及び図８に示すように、第２の出射部７２の床面側には、第２の側面７６が形成されている。第２の側面７６は、光が出射する面であり、ＸＹ平面視で円環状に形成されている。
【００５３】
また、図７に示すように、第２の出射部７２の第２の側面７６は、第１の出射部５８の第１の側面６２と略同一面上に配置されている。なお、本明細書において、「略同一面上に配置されている」とは、第１の側面６２及び第２の側面７６が完全に同一面上に配置されている場合だけでなく、第１の側面６２が第２の側面７６に対してＺ軸方向に所定距離以下（例えば、第１の側面６２又は第２の側面７６の厚みの１０分の１以下）だけずれている場合も含むものとする。
【００５４】
図１２に示すように、第２の出射部７２の第２の側面７６とは反対側の裏面７８（天井４側の面）には、光散乱パターン８２が形成されている。光散乱パターン８２は、例えば複数の低角プリズム８０がドット状に配置されたパターンである。複数の低角プリズム８０の各々は、例えばドット加工により形成された円錐状の凹部である。光散乱パターン８２は、複数の低角プリズム８０の密度が裏面７８の全域に亘ってほぼ均一となるように形成されている。すなわち、光散乱パターン８２は、第２の側面７６の全域に亘って光取り出し効率がほぼ均一となるように形成されている。
【００５５】
図７に示すように、複数の第２の発光素子５０からの光は、第２の端面７４に入射して、第２の入射部７０から第２の出射部７２へと導かれる。第２の出射部７２に導かれた光は、低角プリズム８０で反射することにより、第２の出射部７２の第２の側面７６から拡散されながら室内に向けて出射する。なお、第２の出射部７２に導かれた光の一部は、第２の出射部７２の裏面７８から拡散されながら出射する。
【００５６】
また、図７及び図１２に示すように、第２の出射部７２の外周面８４は、第２の出射部７２の第２の側面７６から裏面７８に向けて拡径するテーパ状に形成されている。第２の出射部７２に導かれた光の一部は、第２の出射部７２の外周面８４から拡散されながら出射する。
【００５７】
［１−１−９．固定部材］
次に、図３及び図６〜図８を参照しながら、固定部材２０について説明する。固定部材２０は、第１の導光板１６及び第２の導光板１８を器具本体６の床面側の側面５２に固定するための部材である。
【００５８】
図３に示すように、固定部材２０は、ＸＹ平面視で円環状（ドーナツ状）に形成されており、第１の導光板１６の第１の入射部５６と第２の導光板１８の第２の入射部７０との間の非発光領域に配置されている。固定部材２０は、例えばネジ（図示せず）により器具本体６の床面側の側面５２に取り付けられている。
【００５９】
図６〜図８に示すように、固定部材２０の内周部は、第１の導光板１６の第１の入射部５６の凸面側を器具本体６の床面側の側面５２に向けて押圧する。また、固定部材２０の外周部は、第２の導光板１８の第２の入射部７０の凸面側を器具本体６の床面側の側面５２に向けて押圧する。
【００６０】
［１−１−１０．カバー部材］
次に、図１、図３、図４、図７及び図８を参照しながら、カバー部材２２について説明する。カバー部材２２は、固定部材２０を目隠しするための化粧カバーである。
【００６１】
図１、図３及び図４に示すように、カバー部材２２は、ＸＹ平面視で円環状（ドーナツ状）に形成されており、例えば透光性を有さない樹脂等で形成されている。カバー部材２２は、固定部材２０を覆うように配置され、固定部材２０に着脱自在に取り付けられている。
【００６２】
図１、図３及び図４に示すように、カバー部材２２の内周部には、第１の導光部材８６が配置されている。第１の導光部材８６は、カバー部材２２の内周部の全周に沿って円環状に形成されている。第１の導光部材８６は、透光性を有する材料（例えば乳白色のアクリル樹脂等）で形成されている。図７及び図８に示すように、第１の導光部材８６は、第１の導光板１６の第１の入射部５６の凸面側を覆うように配置されている。
【００６３】
第１の導光板１６の第１の入射部５６に入射した光の一部は、第１の入射部５６の凸面側から出射して第１の導光部材８６に入射する。第１の導光部材８６に入射した光は、第１の導光部材８６から室内（すなわち、照明器具２の外部）に向けて出射する。これにより、第１の導光板１６の第１の入射部５６に入射した光を利用して、第１の導光部材８６を発光させることができる。
【００６４】
図１、図３及び図４に示すように、カバー部材２２の外周部には、第２の導光部材８８が配置されている。第２の導光部材８８は、カバー部材２２の外周部の全周に沿って円環状に形成されている。第２の導光部材８８は、第１の導光部材８６と同様に、透光性を有する材料で形成されている。図７及び図８に示すように、第２の導光部材８８は、第２の導光板１８の第２の入射部７０の凸面側を覆うように配置されている。
【００６５】
第２の導光板１８の第２の入射部７０に入射した光の一部は、第２の入射部７０の凸面側から出射して第２の導光部材８８に入射する。第２の導光部材８８に入射した光は、第２の導光部材８８から室内に向けて出射する。これにより、第２の導光板１８の第２の入射部７０に入射した光を利用して、第２の導光部材８８を発光させることができる。
【００６６】
［１−２．効果］
本実施の形態の照明器具２は、第１の発光素子４８と、第１の発光素子４８からの光を入射する第１の端面６０、及び、第１の端面６０に入射した光を出射する第１の側面６２を有する第１の導光板１６とを備える。第１の導光板１６は、一端部５６ａから他端部５６ｂまで筒状に延び、一端部５６ａに第１の端面６０が形成された第１の入射部５６と、第１の入射部５６の他端部５６ｂから径方向内側に延びて他端部５６ｂを閉塞するように形成され、第１の側面６２が形成された第１の出射部５８とを有する。第１の出射部５８の形状は、第１の側面６２の外周部から取り出される光の光取り出し効率よりも、第１の側面６２の内周部から取り出される光の光取り出し効率の方が大きくなるように形成されている。
【００６７】
これによれば、第１の側面６２の外周部における光取り出し効率よりも、第１の側面６２の内周部における光取り出し効率の方が大きいので、例えば第１の出射部５８の径を大きくした場合であっても、第１の側面６２の内周部が暗くなるのを低減することができる。これにより、第１の側面６２における輝度ムラを低減することができる。さらに、照明器具２の照明方式は、第１の発光素子４８からの光を第１の導光板１６により室内に導く導光方式である。この導光方式では、第１の発光素子４８から第１の導光板１６の第１の端面６０までの距離が短い場合であっても、輝度ムラを低減することができる。その結果、輝度ムラを低減しながら、照明器具２の薄型化を図ることができる。
【００６８】
さらに、第１の出射部５８には、複数の低角プリズム６６を有する光散乱パターン６８が形成されている。光散乱パターン６８は、第１の側面６２の外周部における光取り出し効率よりも、第１の側面６２の内周部における光取り出し効率の方が大きくなるように形成されている。
【００６９】
これによれば、第１の出射部５８に光散乱パターン６８を形成することにより、第１の側面６２における輝度ムラを効果的に低減することができる。
【００７０】
さらに、光散乱パターン６８は、第１の側面６２の外周部から内周部に近付くに従って、複数の低角プリズム６６の密度が高くなるように形成されている。
【００７１】
これによれば、第１の側面６２における位置に応じて複数の低角プリズム６６の密度を変化させることにより、第１の側面６２における輝度ムラを効果的に低減することができる。
【００７２】
さらに、光散乱パターン６８は、第１の側面６２の外周部から内周部に近付くに従って、複数の低角プリズム６６の各々の大きさが大きくなるように形成されている。
【００７３】
これによれば、第１の側面６２における位置に応じて複数の低角プリズム６６の各々の大きさを変化させることにより、第１の側面６２における輝度ムラを効果的に低減することができる。
【００７４】
さらに、第１の端面６０は、第１の入射部５６の一端部５６ａの全周に亘って形成されている。第１の発光部は、第１の端面６０の周方向に沿って間隔を置いて配置された複数の第１の発光素子４８を有する。
【００７５】
これによれば、複数の第１の発光素子４８からの光が第１の端面６０の全周に亘って入射するので、第１の導光板１６の第１の側面６２の周方向における輝度ムラを低減することができる。
【００７６】
さらに、照明器具２は、第２の発光素子５０と、第１の導光板１６の周囲を囲むように配置された環状の第２の導光板１８であって、第２の発光素子５０からの光を入射する第２の端面７４、及び、第２の端面７４に入射した光を出射する第２の側面７６を有する第２の導光板１８とを備える。
【００７７】
これによれば、第２の導光板１８は第１の導光板１６を囲むように配置されているので、照明器具２の発光面積を大きく確保することができる。
【００７８】
さらに、第２の導光板１８は、一端部７０ａから他端部７０ｂに向けて拡径する筒状に形成され、一端部７０ａに第２の端面７４が形成された第２の入射部７０と、第２の入射部７０の他端部７０ｂから径方向外側に延びて環状に形成され、第２の側面７６が形成された第２の出射部７２とを有する。
【００７９】
これによれば、第２の端面７４と第２の側面７６との位置関係を例えば略平行とすることができる。その結果、第２の発光素子５０と第２の導光板１８とを照明器具２の厚み方向に配置することができるので、照明器具２の径方向の大きさを抑えながら、照明器具２の薄型化を図ることができる。
【００８０】
さらに、第２の端面７４は、第２の入射部７０の一端部７０ａの全周に亘って形成されている。第２の発光部は、複数の第１の発光素子４８を囲むように配置され、第２の端面７４の周方向に沿って間隔を置いて配置された複数の第２の発光素子５０を有する。
【００８１】
これによれば、複数の第２の発光素子５０からの光が第２の端面７４の全周に亘って入射するので、第２の導光板１８の第２の側面７６における輝度ムラを低減することができる。
【００８２】
さらに、第１の側面６２及び第２の側面７６は、略同一面上に配置されている。
【００８３】
これによれば、照明器具２をより一層薄型化することができる。
【００８４】
（実施の形態２）
［２−１．第１の導光板の構成］
次に、図１３を参照しながら、実施の形態２に係る第１の導光板１６Ａの構成について説明する。図１３は、実施の形態２に係る第１の導光板１６Ａを示す断面図である。なお、本実施の形態では、上記実施の形態１の構成要素と同一の構成要素には同一の符号を付して、その説明を省略する。
【００８５】
図１３に示すように、実施の形態２に係る第１の導光板１６Ａでは、第１の出射部５８Ａの裏面６４には上記実施の形態１で説明した光散乱パターンが形成されていない。第１の出射部５８Ａは、第１の側面６２の外周部から内周部に近付くに従って、厚み（Ｚ軸方向における大きさ）が徐々に小さくなるように形成されている。第１の出射部５８Ａの厚みは、第１の側面６２の径中心で最も大きく、第１の側面６２の外周縁で最も小さい。
【００８６】
このような構成により、上記実施の形態１と同様に、第１の側面６２の外周部から取り出される光の光取り出し効率よりも、第１の側面６２の内周部から取り出される光の光取り出し効率の方が大きくなる。
【００８７】
［２−２．効果］
本実施の形態の照明器具では、第１の出射部５８Ａは、第１の側面６２の外周部から内周部に近付くに従って、厚みが小さくなるように形成されている。
【００８８】
これによれば、第１の側面６２における位置に応じて第１の出射部５８Ａの厚みを変化させることにより、第１の側面６２における輝度ムラを効果的に低減することができる。
【００８９】
（変形例等）
以上、本発明について実施の形態１及び２に基づいて説明したが、本発明は、上記各実施の形態に限定されるものではない。
【００９０】
また、上記各実施の形態では、第１の導光板１６（１６Ａ）をＸＹ平面視で円形状に形成したが、これに限定されず、例えばＸＹ平面視で矩形状に形成してもよい。また、第２の導光板１８をＸＹ平面視で円環状に形成したが、これに限定されず、例えばＸＹ平面視で矩形状の環状に形成してもよい。
【００９１】
また、上記各実施の形態では、第１の発光素子４８及び第２の発光素子５０の各実装構造をＳＭＤ構造としたが、これに限定されず、例えばＬＥＤチップを基板４６に直接実装したＣＯＢ（Ｃｈｉｐ  Ｏｎ  Ｂｏａｒｄ）構造であってもよい。この場合、封止部材によって、基板４６上に実装された複数のＬＥＤチップを一括に封止してもよく、あるいは、個別に封止してもよい。また、封止部材には、上述した黄色蛍光体等の波長変換材が含有されていてもよい。
【００９２】
また、上記各実施の形態では、第１の発光素子４８及び第２の発光素子５０としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００９３】
また、照明器具２は、例えばマイナスイオンを発生させるためのイオン発生部を備えていてもよい。イオン発生部は、例えば器具本体６の内部に配置されている。イオン発生部は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生部により発生したマイナスイオンは、器具本体６の内部に配置された送風ファン等により器具本体６の外部に吹き出され、室内に拡散される。
【００９４】
なお、ナノイーは、マイナスイオン単独で存在する場合よりも空気中に長時間（マイナスイオンの約６倍の寿命で）存在することが可能であり、且つ、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内のカーテン又は浮遊塵埃等を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【００９５】
また、照明器具２は、室内に人が存在することを検出する人感センサと、照明器具２の周囲の画像を撮像するためのカメラ機能を有する画像センサとを備えていてもよい。画像センサは、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。この場合、人感センサで室内に人を検知した際に、防犯対策として画像センサにより撮像した画像をメモリ等に記憶しておくことができる。
【００９６】
また、照明器具２は、有線又は無線によって照明器具２が受信した音声を出力するスピーカを備えていてもよい。この場合、例えば発光モジュール１２の点灯に同期してスピーカから音声が出力されるように、スピーカが制御されてもよい。
【００９７】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００９８】
２  照明器具
１６，１６Ａ  第１の導光板
１８  第２の導光板
４８  第１の発光素子（第１の発光部）
５０  第２の発光素子（第２の発光部）
５６  第１の入射部
５６ａ，７０ａ  一端部
５６ｂ，７０ｂ  他端部
５８，５８Ａ  第１の出射部
６０  第１の端面
６２  第１の側面
６６，８０  低角プリズム（光散乱要素）
６８，８２  光散乱パターン
７０  第２の入射部
７２  第２の出射部
７４  第２の端面
７６  第２の側面
【図１】
2019149273.tif 000003
【図２】
2019149273.tif 000004
【図３】
2019149273.tif 000005
【図４】
2019149273.tif 000006
【図５】
2019149273.tif 000007
【図６】
2019149273.tif 000008
【図７】
2019149273.tif 000009
【図８】
2019149273.tif 000010
【図９】
2019149273.tif 000011
【図１０】
2019149273.tif 000012
【図１１】
2019149273.tif 000013
【図１２】
2019149273.tif 000014
【図１３】
2019149273.tif 000015